(57)【特許請求の範囲】
【請求項１】
第１ガラスパネルと、
前記第１ガラスパネルに対向するように配置された第２ガラスパネルと、
前記第１ガラスパネルと前記第２ガラスパネルとを気密に接合するシールと、
前記第１ガラスパネルと前記第２ガラスパネルと前記シールとに囲まれた真空空間と、
前記真空空間内に配置されるガス吸着体と、
を備え、
前記ガス吸着体は、無機材料の繊維あるいは多孔質体で形成された基材と、前記基材に付着されたゲッタを含む液体とから形成され、
前記基材は、前記シールの材料よりも高い軟化点を有する、
ガラスパネルユニット。
【請求項２】
前記ガス吸着体は、前記シールに固定されている、又は、前記第１ガラスパネルと前記第２ガラスパネルとに挟まれて固定されている、
請求項１に記載のガラスパネルユニット。
【請求項３】
前記ガス吸着体は、前記シールの材料を加熱して前記第１ガラスパネルと前記第２ガラスパネルとを気密に接合する際に、前記シールに固定されている、
請求項１に記載のガラスパネルユニット。
【請求項４】
前記無機材料はガラス又は金属である、
請求項１〜３のいずれか一つのガラスパネルユニット。
【請求項５】
請求項１のガラスパネルユニットの製造方法であって、
前記シールの材料を前記第２ガラスパネル上に塗布し、
前記ガス吸着体を前記第２ガラスパネルに配置し、
前記シールの材料を加熱して前記第１ガラスパネルと前記第２ガラスパネルとを気密に接合する、
ガラスパネルユニットの製造方法。
【請求項６】
前記ガス吸着体を前記シールの材料に接触するように前記第２ガラスパネルに配置する、
請求項５に記載のガラスパネルユニットの製造方法。
【発明の詳細な説明】
【技術分野】
【０００１】
本発明は、ガス吸着体、ガス吸着体の製造方法、及びガラスパネルユニットに関する。
【背景技術】
【０００２】
文献１（国際公開第２０１４／００４９３６号）は、複層ガラスを開示する。文献１に開示された複層ガラスは、２枚の板ガラスと、２枚の板ガラスの間に形成された密封空間と、密封空間に配置された吸着材と、を備える。吸着材は、密封空間内の不要なガスを吸着するために密封空間内に配置されている。この吸着材は、吸着物質を溶媒に溶かして得られた溶液を一方の板ガラスに塗布し乾燥させることで形成されている。【０００３】
文献１の製法では、精度よく所望の形状（幅）を有する吸着材を形成するために、溶液の粘度調整が必要となる。そのため、この製法では、常温で揮発しにくい溶媒が用いられる。但し、溶媒には、吸着物質の吸着能力を低下させにくいことが求められるため、溶媒の選択肢は多くない。【０００４】
また、吸着材が所望の形状にならない場合があり、生産性に課題があった。
【発明の概要】
【０００５】
本発明が解決しようとする課題は、生産性に優れガス吸着能力の高いガス吸着体を得ることである。
【０００６】
本発明に係る形態のガス吸着体は、無機材料の繊維あるいは多孔質体で形成された基材と、前記基材に付着されたゲッタを含む液体とから形成される。
【０００７】
本発明に係る他の形態のガス吸着体の製造方法は、上記ガス吸着体の製造方法であって、無機材料の繊維あるいは多孔質体で形成された基材とゲッタを含む液体とを準備する準備工程と、前記液体を前記基材に付着させる付着工程と、を含む。
【０００８】
本発明に係る他の形態のガラスパネルユニットは、第１ガラスパネルと、前記第１ガラスパネルに対向するように配置された第２ガラスパネルと、前記第１ガラスパネルと前記第２ガラスパネルとを気密に接合するシールと、前記第１ガラスパネルと前記第２ガラスパネルと前記シールとに囲まれた真空空間と、前記真空空間内に配置される上記ガス吸着体と、を備える。
【図面の簡単な説明】
【０００９】
【図１】本発明に係る一実施形態のガス吸着体を備えるガラスパネルユニットの概略断面図である。
【図２】図１のガラスパネルユニットの概略平面図である。
【図３】本発明に係る一実施形態の変形例１のガス吸着体を備えるガラスパネルユニットの概略断面図である。
【図４】図３のガラスパネルユニットの概略平面図である。
【図５】本発明に係る一実施形態の変形例２のガス吸着体を備えるガラスパネルユニットの概略断面図である。
【図６】図５のガラスパネルユニットの概略平面図である。
【発明を実施するための形態】
【００１０】
［１．実施形態］
［１−１．ガス吸着体の構成］
図１および図２は、本発明に係る一実施形態のガス吸着体６０を備えるガラスパネルユニット１０を示す。
【００１１】
本実施形態のガス吸着体６０は、ガラスパネルユニットに用いられる。ガス吸着体６０は、無機材料の繊維あるいは多孔質体で形成された基材６１と、基材６１に付着されたゲッタを含む液体とから形成される。そして、ガス吸着体６０は、無機材料の繊維あるいは多孔質体で形成された基材６１と、基材６１に固着されたゲッタを有する。
【００１２】
ガス吸着体６０は、本実施形態では、長尺状である。ガス吸着体６０の大きさは、使用されるガラスパネルユニットに応じて適宜設定されるが、例えば、高さが０．１ｍｍ〜１ｃｍ、長さが１０ｃｍ〜３ｍ、幅が０．１ｃｍ〜１０ｃｍである。
【００１３】
基材６１は、無機材料の繊維で形成される。あるいは、基材６１は、無機材料の多孔質体で形成される。基材６１は、ゲッタを担持する担体として機能する。基材６１を形成する無機材料は、ガラスまたは金属であってよい。したがって、基材６１を構成する無機材料の繊維は、ガラスの繊維あるいは金属の繊維であってよい。基材６１を形成する金属は、例えば、ゲッタの活性化温度（例えば、３５０℃）以上で変質、変形（溶融）等しない安定な金属である。基材６１は、無機材料の繊維で形成された織布、不織布、あるいは繊維束であってよい。基材６１は、例えば、ガラスクロス、ガラスウール、金属織布、金属ウールであってよい。基材６１を形成する無機材料の多孔質体は、多孔質のガラスまたは多孔質の金属であってよい。さらに具体的には、無機材料の多孔質体は、発泡金属であってよい。
【００１４】
繊維あるいは多孔質体で形成された基材６１は、比較的大きい比表面積を有する。例えば、無機材料の繊維あるいは多孔質体から形成された基材６１は、無機材料の板から形成された基材６１と同じサイズ（あるいは同じ重量）であっても、表面積がより大きくなる。そのため、繊維あるいは多孔質体で形成された基材６１には、比較的多くの量のゲッタが固着される。また、基材６１に固着されたゲッタはより多くの空間と接することになり、ガスを吸着しやすくなる。そのため、繊維あるいは多孔質体で形成された基材６１を有するガス吸着体６０は、高い吸着能力を有することができる。
【００１５】
基材６１は、ガス吸着体６０の形状を定める。本実施形態では、ガス吸着体６０が長尺状であるので、基材６１も長尺状である。基材６１の大きさは、例えば、高さが０．１ｍｍ〜１ｃｍ、長さが１０ｃｍ〜３ｍ、幅が０．１ｃｍ〜１０ｃｍである。そして、基材６１を構成する繊維の長さは、例えば、５ｍｍ〜１ｍであり、直径は、例えば、０．１μｍ〜１ｃｍである。
【００１６】
ゲッタは、所定の大きさより小さい分子を吸着する性質を有する材料である。本実施形態では、ゲッタはガスを吸着する材料である。
【００１７】
ゲッタは、たとえば、蒸発型ゲッタである。蒸発型ゲッタは、所定温度（活性化温度）以上になると、吸着した分子を放出する性質を有している。そのため、蒸発型ゲッタの吸着能力が低下しても、蒸発型ゲッタを活性化温度以上に加熱することで、蒸発型ゲッタの吸着能力を回復させることができる。あるいは、ゲッタは、非蒸発型ゲッタであってもよい。非蒸発型ゲッタは、蒸発型ゲッタとは異なり、一度吸着した分子を放出しない性質を有する。そのため、非蒸発型ゲッタは、ある程度以上の分子を吸着すると、たとえ活性化温度以上に加熱されても、吸着能力が回復しなくなる。ゲッタは、具体的には、ゼオライト、イオン交換されたゼオライト（例えば、銅イオン交換されたゼオライト）、Ｆｅ−Ｖ−Ｚｒ合金、Ｂａ−Ａｌ合金である。
【００１８】
［１−２．ガス吸着体の製造方法］
次に、本実施形態のガス吸着体６０の製造方法について説明する。
【００１９】
本実施形態のガス吸着体６０の製造方法は、準備工程と、付着工程と、乾燥工程と有する。なお、乾燥工程は省略してもよい。
【００２０】
準備工程では、まず、基材６１と、ゲッタを含む液体とを準備する。ゲッタを含む液体は、ゲッタを溶媒に加えて得られた液体を撹拌することにより得られる。加えられたゲッタが溶媒に全て溶解する場合、ゲッタを含む液体はゲッタ溶液である。加えられたゲッタのうち一部分が溶媒に溶解せずに分散する場合、ゲッタを含む溶液はゲッタ分散液である。
【００２１】
溶媒は、ゲッタの吸着能力を低下させにくいものが好ましい。溶媒は、例えば、水、アルコール、アルコールを含む水溶液である。アルコールは、例えば、エタノール、イソプロピルアルコール、テルピネオールである。本実施形態で用いられる溶媒は、常温での揮発性が比較的高くてもよく、沸点が７０℃以下であってもよい。基材６１との親和性（上記液体を基材６１に付着させた際の染みこみ易さ）を考慮すると、好ましい溶媒は、エタノール、イソプロピルアルコールである。
【００２２】
また、溶媒の比重は、ゲッタの比重よりも小さいことが好ましい。ゲッタの比重より小さい比重を有する溶媒を用いれば、上記液体の比重をゲッタよりも小さくすることができ、上記液体を基材６１に浸透しやすくすることができる。
【００２３】
付着工程では、ゲッタを含む液体を基材６１に付着させる。例えば、ゲッタを含む液体を基材６１に塗布する。あるいは、ゲッタを含む液体を基材６１に含浸させる。あるいは、ゲッタを含む液体を基材６１に噴霧してもよい。
【００２４】
乾燥工程では、ゲッタを含む液体が付着された基材６１を乾燥させる。つまり、ゲッタを含む液体に含まれている溶媒を揮発させる。基材６１の乾燥（溶媒の揮発）は自然乾燥で行われてもよく、加熱や送風などの強制乾燥で行われてもよい。溶媒が揮発することにより、ゲッタが基材６１に固着される。
【００２５】
上述した、準備工程、付着工程、および乾燥工程を経て、ガス吸着体６０が得られる。
【００２６】
以上述べたように、ガス吸着体６０は、無機材料の繊維あるいは多孔質体で形成された、比表面積が比較的大きい基材６１を用いて形成される。そのため、ガス吸着体６０は、比較的多くの量のゲッタを有し、このゲッタは、比較的多くの空間と接触することができる。したがって、本実施形態によれば、吸着能力の高いガス吸着体６０を得ることができる。また、本実施形態によれば、ガス吸着体６０の形状は準備する基材６１の形状で定められる。そのため、所望の形状のガス吸着体６０を生産性高く容易に得ることができる。
【００２７】
［１−３．ガラスパネルユニットの構成］
本実施形態のガス吸着体６０は、ガラスパネルユニット１０に用いられる。本実施形態のガラスパネルユニット１０は、真空断熱ガラスユニットである。真空断熱ガラスユニットは、少なくとも一対のガラスパネルを備える複層ガラスパネルの一種であって、一対のガラスパネル間に真空空間を有している。
【００２８】
具体的には、ガラスパネルユニット１０は、図１及び図２に示すように、第１ガラスパネル２０と、第２ガラスパネル３０と、シール４０と、真空空間５０と、ガス吸着体６０と、複数のスペーサ７０とを備える。
【００２９】
第１ガラスパネル２０は、第１ガラスパネル２０の平面形状を定める本体２１と、コーティング２２と、を備える。
【００３０】
本体２１は、矩形状であり、互いに平行な厚み方向の第１面（図１における下面）および第２面（図１における上面）を有する。本体２１の第１面および第２面はいずれも平面である。本体２１の材料は、たとえば、ソーダライムガラス、高歪点ガラス、化学強化ガラス、無アルカリガラス、石英ガラス、ネオセラム、物理強化ガラスである。
【００３１】
コーティング２２は、本体の第１面に形成される。コーティング２２は、赤外線反射膜である。なお、コーティング２２は、赤外線反射膜に限定されず、所望の物理特性を有する膜であってもよい。
【００３２】
第２ガラスパネル３０は、第２ガラスパネル３０の平面形状を定める本体３１を備える。
【００３３】
本体３１の平面形状および平面サイズは、本体２１と同じである（つまり、第２ガラスパネル３０の平面形状は、第１ガラスパネル２０と同じである）。また、本体３１の厚みは、本体２１と同じである。本体３１の材料は、たとえば、ソーダライムガラス、高歪点ガラス、化学強化ガラス、無アルカリガラス、石英ガラス、ネオセラム、物理強化ガラスである。
【００３４】
本体３１は、矩形状であり、互いに平行な厚み方向の第１面（図１における上面）および第２面（図１における下面）を有する。本体３１の第１面および第２面はいずれも平面である。
【００３５】
第２ガラスパネル３０は、本体３１のみで構成されている。つまり、本体３１が第２ガラスパネル３０そのものである。第２ガラスパネル３０は、第１ガラスパネル２０に対向するように配置される。具体的には、第１ガラスパネル２０と第２ガラスパネル３０とは、本体２１の第１面と本体３１の第１面とが互いに平行かつ対向するように配置される。つまり、本体２１の第２面はガラスパネルユニット１０の外側に向けられ、本体２１の第１面はガラスパネルユニット１０の内側に向けられる。また、本体３１の第１面はガラスパネルユニット１０の内側に向けられ、本体３１の第２面はガラスパネルユニット１０の外側に向けられる。
【００３６】
シール４０は、第１ガラスパネル２０と第２ガラスパネル３０との間に配置され、第１ガラスパネル２０と第２ガラスパネル３０とを気密に接合する。これによって、シール４０と第１ガラスパネル２０と第２ガラスパネル３０とで囲まれた空間が形成される。本実施形態では、この空間の真空度（圧力）は所定値以下であり、真空空間５０と呼ばれる。
【００３７】
シール４０は、熱接着剤で形成されている。熱接着剤は、たとえば、ガラスフリットである。ガラスフリットは、たとえば、低融点ガラスフリットである。低融点ガラスフリットは、たとえば、ビスマス系ガラスフリット、鉛系ガラスフリット、バナジウム系ガラスフリットである。
【００３８】
シール４０は、矩形の枠状である。シール４０の平面形状は、本体２１，３１と同じであるが、シール４０の平面サイズは本体２１，３１より小さい。シール４０は、第２ガラスパネル３０の外周に沿って形成されている。つまり、シール４０は、第２ガラスパネル３０上のほぼすべての領域を囲うように形成されている。
【００３９】
真空空間５０は、真空度が所定値以下の空間であり、所定値は、たとえば、０．１Ｐａである。真空空間５０は、第１ガラスパネル２０と第２ガラスパネル３０とシール４０とで完全に密閉されているから、外気から分離されている。
【００４０】
複数のスペーサ７０は、第１ガラスパネル２０と第２ガラスパネル３０との間隔を所定間隔に維持するために用いられる。つまり、複数のスペーサ７０は、第１ガラスパネル２０と第２ガラスパネル３０との距離を所望の値に維持するために使用される。
【００４１】
複数のスペーサ７０は、真空空間５０内に配置されている。具体的には、複数のスペーサ７０は、仮想的な矩形状の格子の交差点に配置されている。たとえば、複数のスペーサ７０の間隔は、２ｃｍである。ただし、スペーサ７０の大きさ、スペーサ７０の数、スペーサ７０の間隔、スペーサ７０の配置パターンは、適宜選択することができる。
【００４２】
スペーサ７０は、上記所定間隔とほぼ等しい高さを有する円柱状である。たとえば、スペーサ７０は、直径が１ｍｍ、高さが１００μｍである。なお、各スペーサ７０は、角柱状や球状などの所望の形状であってもよい。
【００４３】
スペーサ７０は、透明な材料を用いて形成される。ただし、各スペーサ７０は、十分に小さければ、不透明な材料を用いて形成されていてもよい。スペーサ７０は、シール４０よりも変形しにくいことが好ましい。たとえば、スペーサ７０の材料は、シール４０の材料よりも高い軟化点（軟化温度）を有するように選択される。
【００４４】
ガス吸着体６０は、真空空間５０内に配置される。具体的には、ガス吸着体６０は、長尺状であり、第２ガラスパネル３０の長さ方向の一端側（図２における左端側）に、第２ガラスパネル３０の幅方向（図２の上下方向）に沿って配置される。つまり、ガス吸着体６０は、真空空間５０の端に配置される。このようにすれば、ガス吸着体６０を目立たなくすることができる。
【００４５】
図１及び図２の例では、ガス吸着体６０は、第２ガラスパネル３０に固定される。また、ガス吸着体６０は、シール４０に接触していない。そして、ガス吸着体６０の高さ（図１の上下方向における長さ）は、上記所定間隔よりも小さい。
【００４６】
ガス吸着体６０は、不要なガス（残留ガス等）を吸着するために用いられる。不要なガスは、たとえば、シール４０の材料が加熱されて第１ガラスパネル２０と第２ガラスパネル３０とを気密に接合しながらシール４０が形成される際に、シール４０から放出されるガスである。
【００４７】
なお、ガス吸着体６０は、ガラスパネルユニット１０のシール４０よりも軟化しにくい（溶けにくい）ことが好ましい。たとえば、ガス吸着体６０の基材６１は、シール４０の材料よりも高い軟化点（融点）を有するように選択される。
【００４８】
［１−４．製造方法］
次に、本実施形態のガラスパネルユニット１０の製造方法について説明する。本実施形態のガラスパネルユニット１０の製造方法は、第１〜第６工程を有する。なお、第２〜第４工程の順番は、適宜変更してもよい。
【００４９】
第１工程は、第１ガラスパネル２０および第２ガラスパネル３０を形成する工程（パネル形成工程）である。第１工程では、第１ガラスパネル２０及び第２ガラスパネル３０を準備する。第１工程では、必要に応じて、第１ガラスパネル２０及び第２ガラスパネル３０を洗浄する。
【００５０】
第２工程は、シール４０を形成する工程（シール形成工程）である。第２工程では、ディスペンサなどを利用して、シール４０の材料（熱接着剤）を第２ガラスパネル３０（本体３１の第１面）上に塗布する。
【００５１】
第３工程は、ガス吸着体６０を配置する工程（ガス吸着体配置工程）である。第３工程では、ガス吸着体６０を第２ガラスパネル３０（本体３１の第１面）の所定位置に配置する。
【００５２】
第３工程では、ガス吸着体６０を第２ガラスパネル３０に配置するだけでなく固定してもよい。例えば、上述の製造方法で製造されたガス吸着体６０を、熱接着剤（例えば上記ガラスフリット）を用いて第２ガラスパネル３０に固定してもよい。この場合、第２工程において、シール４０の材料（熱接着剤）を第２ガラスパネル３０におけるガス吸着体６０を配置する予定の領域にも塗布しておき、ガス吸着体６０をこの塗布された材料で接着（固定）すると、効率が良く好ましい。
【００５３】
あるいは、ゲッタを含む液体が付着された基材６１（つまり、上述の付着工程を経て得られた基材６１）を第２ガラスパネル３０に配置する。そして、第２ガラスパネル３０上でこの基材６１を乾燥させる。これにより、ガス吸着体６０が第２ガラスパネル３０上で形成され、さらに固定される。
【００５４】
第４工程は、スペーサ７０を形成する工程（スペーサ形成工程）である。第４工程では、複数のスペーサ７０を予め形成しておき、チップマウンタなどを利用して、複数のスペーサ７０を、第２ガラスパネル３０の所定位置に配置する。なお、複数のスペーサ７０は、フォトリソグラフィ技術およびエッチング技術を利用して形成されていてもよい。この場合、複数のスペーサ７０は、光硬化性材料などを用いて形成される。あるいは、複数のスペーサ７０は、周知の薄膜形成技術を利用して形成されていてもよい。
【００５５】
第５工程は、第１ガラスパネル２０と第２ガラスパネル３０とを配置する工程（配置工程）である。第５工程では、第１ガラスパネル２０と第２ガラスパネル３０とは、本体２１の第１面と本体３１の第１面とが互いに平行かつ対向するように配置してされる。
【００５６】
第６工程は、第１ガラスパネル２０と第２ガラスパネル３０とをシール４０により気密に接合する工程である。たとえば、第１ガラスパネル２０が第２ガラスパネル３０に塗布されたシール４０の材料に接触した状態でシール４０の材料を加熱していったん溶融させる。そして、溶融したシール４０の材料を固化してシール４０を形成すれば、第１ガラスパネル２０と第２ガラスパネル３０とが気密に接合される。
【００５７】
また、真空空間５０を形成する方法は、適宜の方法を用いることができる。例えば、第１ガラスパネル２０、第２ガラスパネル３０、シール４０のいずれかに排気口を設ける。そして、第６工程において、第１ガラスパネル２０、第２ガラスパネル３０、シール４０に囲まれた空間の排気を排気口から行い、その後、排気口を閉じることにより、真空空間５０を形成することができる。あるいは、真空下で第１ガラスパネル２０と第２ガラスパネル３０とを気密に接合することにより、真空空間５０を形成することができる。
【００５８】
上述した、第１〜第６工程を経て、ガラスパネルユニット１０が得られる。
【００５９】
［２−１．変形例１］
図３および図４は、本発明に係る一実施形態の変形例１のガス吸着体６０を備えるガラスパネルユニット１０を示す。
【００６０】
ガラスパネルユニット１０において、変形例１のガス吸着体（６０）は、図１及び図２のガス吸着体（６０）とは異なり、シール（４０）に固定されている。つまり、ガス吸着体（６０）は、シール（４０）に接触している。変形例１のガス吸着体（６０）は、図１及び図２のガス吸着体（６０）と同じ材料、同じ製法で形成することができる。
【００６１】
変形例１では、ガス吸着体６０は、長尺状（Ｉ字状）であり、第２ガラスパネル３０の長さ方向の一端側（図４における左端側）に、第２ガラスパネル３０の幅方向（図４の上下方向）に沿って配置されている。しかしながら、本実施形態によれば、所望の形状のガス吸着体６０を容易に得ることができるので、ガス吸着体６０は、矩形枠状のシール４０の３辺に沿ったＵ字状であってもよく、２辺に沿ったＬ字状であってもよい。
【００６２】
変形例１のガス吸着体（６０）は、例えば、第３工程において、シール（４０）の材料に接触するように第２ガラスパネル（３０）（本体（３１）の第１面）に配置される。このようにすれば、第６工程において、塗布されたシール（４０）の材料を加熱して第１ガラスパネル（２０）と第２ガラスパネル（３０）とを気密に接合する際に、ガス吸着体（６０）をシール（４０）に固定することができる。
【００６３】
［２−２．変形例２］
図５および図６は、本発明に係る一実施形態の変形例２のガス吸着体（６０）を備えるガラスパネルユニット１０を示す。
【００６４】
ガラスパネルユニット１０において、変形例２のガス吸着体（６０）は、図１〜４のガス吸着体（６０）とは異なり、第１ガラスパネル（２０）と第２ガラスパネル（３０）とに挟まれて固定されている。なお、変形例２のガス吸着体（６０）は、図１及び図２のガス吸着体（６０）と同じ材料、同じ製法で形成することができる。
【００６５】
変形例２のガス吸着体（６０）の高さ（図５の上下方向における長さ）は、上記所定間隔に等しい。そのため、例えば、上記第６工程において、第１ガラスパネル（２０）と第２ガラスパネル（３０）との間隔が上記所定間隔となるよう第１ガラスパネル（２０）と第２ガラスパネル（３０）とを接合すれば、ガス吸着体（６０）は、第１ガラスパネル（２０）と第２ガラスパネル（３０）とに挟まれて固定される。なお、変形例２のガス吸着体（６０）は、第２ガラスパネル３０に接着されていなくともよいが、接着されていてもよい。
【００６６】
［２−３．変形例３］
上記実施形態では、ガス吸着体（６０）は、長尺状であるが、他の形状であってもよい。また、ガス吸着体（６０）は、必ずしも真空空間（５０）の端にある必要はない。また、図１〜４の例では、ガス吸着体（６０）は第２ガラスパネル３０に固定されているが、第１ガラスパネル２０に固定されていてもよい。
【００６７】
上記実施形態では、ガラスパネルユニット（１０）は矩形状であるが、ガラスパネルユニット（１０）は、円形状や多角形状など所望の形状であってもよい。つまり、第１ガラスパネル（２０）、第２ガラスパネル（３０）、およびシール（４０）は、矩形状ではなく、円形状や多角形状など所望の形状であってもよい。なお、ガラスパネルユニット（１０）の形状や大きさは、ガラスパネルユニット（１０）の用途に応じて決定される。
【００６８】
また、第１ガラスパネル（２０）の本体（２１）の第１面および第２面はいずれも平面に限定されない。同様に、第２ガラスパネル（３０）の本体（３１）の第１面および第２面はいずれも平面に限定されない。
【００６９】
また、第１ガラスパネル（２０）の本体（２１）と第２ガラスパネル（３０）の本体（３１）とは同じ平面形状および平面サイズを有していなくてもよい。また、本体（２１）と本体（３１）とは同じ厚みを有していなくてもよい。また、本体（２１）と本体（３１）とは同じ材料で形成されていなくてもよい。
【００７０】
また、シール（４０）は、第１ガラスパネル（２０）および第２ガラスパネル（３０）と同じ平面形状を有していなくてもよい。
【００７１】
また、第１ガラスパネル（２０）は、さらに、所望の物理特性を有して本体（２１）の第２平面に形成されるコーティングを備えていてもよい。あるいは、第１ガラスパネル（２０）は、コーティング（２２）を備えていなくてもよい。つまり、第１ガラスパネル（２０）は、本体（２１）のみで構成されていてもよい。
【００７２】
また、第２ガラスパネル（３０）は、さらに、所望の物理特性を有するコーティングを備えていてもよい。コーティングは、たとえば、本体（３１）の第１面および第２面にそれぞれ形成される薄膜の少なくとも一方を備えていればよい。コーティングは、たとえば、特定波長の光を反射する膜（赤外線反射膜、紫外線反射膜）などである。
【００７３】
上記実施形態では、ガラスパネルユニット（１０）は複数のスペーサ（７０）を備えているが、ガラスパネルユニット（１０）は、一つのスペーサ（７０）を備えていてもよい。あるいは、ガラスパネルユニット（１０）は、スペーサ（７０）を備えていなくてもよい。
【００７４】
［３．本発明に係る形態］
以上述べた実施形態および変形例から明らかなように、本発明に係る第１の形態のガス吸着体（６０）は、無機材料の繊維あるいは多孔質体で形成された基材（６１）と、基材（６１）に付着されたゲッタを含む液体とから形成される。
【００７５】
第１の形態によれば、生産性に優れガス吸着能力の高いガス吸着体（６０）を得ることができる。
【００７６】
本発明に係る第２の形態のガス吸着体（６０）は、第１の形態との組み合わせにより実現される。第２の形態では、前記無機材料はガラスである。
【００７７】
第２の形態によれば、熱膨張率及び熱伝導率がガラスパネル（２０、３０）及びシール（４０）に近いガス吸着体（６０）を得ることができる。
【００７８】
本発明に係る第３の形態のガス吸着体（６０）は、第１の形態との組み合わせにより実現される。第３の形態では、前記無機材料は金属である。
【００７９】
第３の形態によれば、十分な強度を有するガス吸着体（６０）を得ることができる。
【００８０】
本発明に係る第４の形態のガス吸着体の製造方法は、第１〜第３の形態のいずれか一つのガス吸着体（６０）の製造方法であって、無機材料の繊維あるいは多孔質体で形成された基材（６１）と、ゲッタを含む液体とを準備する準備工程と、前記液体を基材（６１）に付着させる付着工程と、を含む。
【００８１】
第４の形態によれば、生産性に優れガス吸着能力の高いガス吸着体（６０）を得ることができる。
【００８２】
本発明に係る第５の形態のガラスパネルユニット（１０）は、第１ガラスパネル（２０）と、第１ガラスパネル（２０）に対向するように配置された第２ガラスパネル（３０）と、第１ガラスパネル（２０）と第２ガラスパネル（３０）とを気密に接合するシール（４０）と、第１ガラスパネル（２０）と第２ガラスパネル（３０）とシール（４０）とに囲まれた真空空間（５０）と、真空空間（５０）内に配置される第１〜第３の形態のいずれか一つのガス吸着体（６０）と、を備える。
【００８３】
第５の形態によれば、生産性に優れガス吸着能力の高いガス吸着体（６０）を備えるガラスパネルユニット（１０）を得ることができる。
【００８４】
本発明に係る第６の形態のガラスパネルユニット（１０）は、第５の形態との組み合わせにより実現される。第６の形態では、ガス吸着体（６０）はシール（４０）に固定されている。
【００８５】
第６の形態によれば、ガス吸着体（６０）を容易に固定することができる。
【００８６】
本発明に係る第７の形態のガラスパネルユニット（１０）は、第５の形態との組み合わせにより実現される。第７の形態では、ガス吸着体（６０）は第１ガラスパネル（２０）と第２ガラスパネル（３０）とに挟まれて固定されている。
【００８７】
第７の形態によれば、ガス吸着体（６０）を容易に固定することができる。
【図１】
0006454947.tif 000002
【図２】
0006454947.tif 000003
【図３】
0006454947.tif 000004
【図４】
0006454947.tif 000005
【図５】
0006454947.tif 000006
【図６】
0006454947.tif 000007